(57)【特許請求の範囲】
【請求項１】
液体を吐出するノズル開口を有するノズル形成部と、
前記液体を前記ノズル開口から吐出させるためのアクチュエータ部と、を有するヘッドユニットと、
前記アクチュエータ部に接続されるフレキシブル基板と、
前記フレキシブル基板を接続する固定基板と、
前記固定基板を保持するケースヘッドと、
前記ケースヘッドに保持された前記固定基板を覆うカバーケースと、を備える液体噴射ヘッドであって、
前記ケースヘッドは、
側面がＬ字状に起立して形成される起立部と、
前記起立部の前記固定基板が保持される側面の左右両端部から突出して一対のＵ字状の切り欠き係合部が形成される係合保持手段を有し、
前記係合保持手段は、その内側に前記固定基板を保持すると共に、その外側に前記カバーケースを保持する構成となっていることを特徴とする液体噴射ヘッド。
【請求項２】
前記係合保持手段は、切り欠き状の切り欠き係合部を有し、
前記カバーケースは、前記切り欠き係合部と係合する係合凸部を有し、
前記切り欠き係合部は、
前記固定基板の端部を係合させる固定基板係合部と、
前記係合凸部を係合させるカバーケース係合部と、を有し、
前記カバーケース係合部が前記固定基板係合部の外側に配置されていることを特徴とする請求項１に記載の液体噴射ヘッド。
【請求項３】
前記係合保持手段には、前記固定基板の端部を前記固定基板係合部に案内する固定基板案内部が形成され、
前記係合凸部には、前記係合凸部を前記カバーケース係合部に案内するカバーケース案内部が形成されていることを特徴とする請求項１又は２に記載の液体噴射ヘッド。
【請求項４】
前記係合保持手段は、前記カバーケースが前記ケースヘッドに対して角度を保持して進入するための案内をするカバーケース案内部が形成されていることを特徴とする請求項１乃至請求項３のいずれかに記載の液体噴射ヘッド。
【請求項５】
液体を吐出するノズル開口を有するノズル形成部と、
前記液体を前記ノズル開口から吐出させるためのアクチュエータ部と、を有するヘッドユニットと、
前記アクチュエータ部に接続されるフレキシブル基板と、
前記フレキシブル基板を接続する固定基板と、
前記固定基板を保持するケースヘッドと、
前記ケースヘッドに保持された前記固定基板を覆うカバーケースと、を備える液体噴射ヘッドを有する液体噴射装置であって、
前記ケースヘッドは、
側面がＬ字状に起立して形成される起立部と、
前記起立部の前記固定基板が保持される側面の左右両端部から突出して一対のＵ字状の切り欠き係合部が形成される係合保持手段を有し、
前記係合保持手段は、その内側に前記固定基板を保持すると共に、その外側に前記カバーケースを保持する構成となっていることを特徴とする液体噴射ヘッドを有する液体噴射装置。
【発明の詳細な説明】
【技術分野】
【０００１】
本発明は、液体を吐出する液体噴射ヘッド及び液体噴射ヘッドを有する液体噴射装置に関するものである。
【背景技術】
【０００２】
従来より、液体噴射装置である例えば、インクジェット式記録装置には、インクを吐出するための液体噴射装置である例えば、インクジェット式記録ヘッドが設けられている（例えば、特許文献１参照）。
インクジェット式記録ヘッドは、液体であるインクを収容するインクカートリッジを装着するケースヘッドを有している。このフレキシブル基板は固定基板に接続され、ケースヘッドに配置される構成となっている。
この固定基板をケースヘッドに配置するときは、ケースヘッドに設けられた爪部に固定基板の端部を係合させていた。
このようにケースヘッドに配置された固定基板に対しては、この固定基板を覆うようにカバーケースが配置される。  
【特許文献１】特開平９−２４８９４９号公報（図３等）
【発明の開示】
【発明が解決しようとする課題】
【０００３】
しかし、ケースヘッドに係合配置される前記固定基板は、インクジェット式記録装置が落下したり、振動が加わったりすると、係合が外れるという問題があった。一方、この係合を外れ難くするため、前記爪部の剛性を高くすると、その爪部により前記固定基板に割れ等が生じるという問題があった。
【０００４】
そこで、本発明は、固定基板に割れ等が生じない程度の弾性力を有し、且つ固定基板が容易に外れない係合保持手段を備える液体噴射ヘッド及び液体噴射ヘッドを有する液体噴射装置を提供することを目的とする。
【課題を解決するための手段】
【０００５】
前記課題は、第１の発明によれば、液体を吐出するノズル開口を有するノズル形成部と、前記液体を前記ノズル開口から吐出させるためのアクチュエータ部と、を有するヘッドユニットと、前記アクチュエータ部に接続されるフレキシブル基板と、前記フレキシブル基板を接続する固定基板と、前記固定基板を保持するケースヘッドと、前記ケースヘッドに保持された前記固定基板を覆うカバーケースと、を備える液体噴射ヘッドであって、前記ケースヘッドは、前記ケースヘッドから突出して形成される係合保持手段を有し、前記係合保持手段は、その内側に前記固定基板を保持すると共に、その外側に前記カバーケースを保持する構成となっていることを特徴とする液体噴射ヘッドにより達成される。
【０００６】
第１の発明の構成によれば、前記ケースヘッドは、前記ケースヘッドから突出して形成される係合保持手段を有し、前記係合保持手段は、その内側に前記固定基板を保持すると共に、その外側に前記カバーケースを保持する構成となっている。
このため、前記固定基板を前記ケースヘッドに装着する際、前記固定基板は前記係合保持手段の内側に保持される。また、前記カバーケースは前記係合保持手段の外側に保持される。
すなわち、前記固定基板を内側で保持する前記係合保持手段は、前記係合保持手段の外側に保持される前記カバーケースによって規制され、外側方向に撓む等することがないので、前記係合保持手段の内側で保持されている前記固定基板が前記係合保持手段から外れる等することがない。
また、前記固定基板を保持する前記係合保持手段は、前記カバーケースでその動きを規制されるので、前記固定基板が割れる等することを防ぐ程度の弾性力を有する素材等で前記係合保持手段を形成しても、落下や振動により前記固定基板が前記係合保持手段から外れることを防止することができる。
さらに、前記係合保持手段は前記固定基板の保持のみならず、前記カバーケースの保持を行うので、それぞれの保持のために別個の保持手段を設置する必要がなく液体噴射ヘッドを小型化でき、製造コストも下げることができる。
【０００７】
第２の発明によれば、第１の発明の構成において、前記係合保持手段は、切り欠き状の切り欠き係合部を有し、前記カバーケースは、前記切り欠き係合部と係合する係合凸部を有し、前記切り欠き係合部は、前記固定基板の端部を係合させる固定基板係合部と、前記係合凸部を係合させるカバーケース係合部と、を有し、前記カバーケース係合部が前記固定基板係合部の外側に配置されていることを特徴とする液体噴射ヘッドである。
【０００８】
第２の発明の構成によれば、前記カバーケースは、前記切り欠き係合部と係合する係合凸部を有し、前記切り欠き係合部は、前記固定基板の端部を係合させる固定基板係合部と、前記係合凸部を係合させるカバーケース係合部と、を有し、前記カバーケース係合部が前記固定基板係合部の外側に配置されている。
このため、前記切り欠き係合部を形成するだけで、その内側の前記固定基板係合部に前記固定基板の端部を係合させ、その外側のカバーケース係合部に前記係合凸部を係合させることができる。そして、外側に係合させる前記カバーケースによって前記固定基板の端部が前記固定基板係合部から落下等により外れることを未然に防ぐことができる。
また、かかる作用等は切り欠き状の切り欠き係合部を形成するだけなので、製造コストを抑えることもできる。
【０００９】
第３の発明によれば、第１又は第２の発明の構成において、前記係合保持手段には、前記固定基板の端部を前記固定基板係合部に案内する固定基板案内部が形成され、前記係合凸部には、前記係合凸部を前記カバーケース係合部に案内するカバーケース案内部が形成されていることを特徴とする液体噴射ヘッドである。
【００１０】
第３の発明の構成によれば、前記係合保持手段には、前記固定基板の端部を前記固定基板係合部に案内する固定基板案内部が形成され、前記係合凸部には、前記係合凸部を前記カバーケース係合部に案内するカバーケース案内部が形成されている。
このため、前記係合保持手段には、前記固定基板案内部が形成されているので、前記固定基板の端部は、円滑且つ容易に前記固定基板係合部に案内される。また、前記係合凸部には前記カバーケース案内部が形成されているので、円滑且つ容易に前記係合凸部を前記カバーケース係合部に案内することができる。
したがって、作業者等が前記固定基板や前記カバーケースを前記ケースヘッドに装着し易い構成となっている。
【００１１】
第４の発明によれば、第１乃至第３のいずれかの発明の構成において、前記係合保持手段は、前記カバーケースが前記ケースヘッドに対して角度を保持して進入するための案内をするカバーケース案内部が形成されていることを特徴とする液体噴射ヘッドである。
【００１２】
第４の発明の構成によれば、前記係合保持手段は、前記カバーケースが前記ケースヘッドに対して角度を保持して進入するための案内をするカバーケース案内部が形成されている。
このため、前記カバーケースの縁部と前記ケースヘッドの縁部とを接着剤等を介し当接等させるときに、前記カバーケースの縁部が前記ケースヘッドの縁部上を摺動等することがないので、前記ケースヘッド上に配置されている接着剤等を摺動方向前方に押し込め、両者の間の接着剤等の厚みが場所によって異なることがない。
したがって、前記カバーケースの縁部と前記ヘッドケースの縁部の間で防水性が低下する接着剤等の厚みが薄い部分が生じ難く、全体として防水性を向上させることができる。
【００１３】
前記課題は、第５の発明によれば、液体を吐出するノズル開口を有するノズル形成部と、前記液体を前記ノズル開口から吐出させるためのアクチュエータ部と、を有するヘッドユニットと、前記アクチュエータ部に接続されるフレキシブル基板と、前記フレキシブル基板を接続する固定基板と、前記固定基板を保持するケースヘッドと、前記ケースヘッドに保持された前記固定基板を覆うカバーケースと、を備える液体噴射ヘッドを有する液体噴射装置であって、前記液体噴射ヘッドの前記ケースヘッドは、前記ケースヘッドから突出して形成される係合保持手段を有し、前記係合保持手段は、その内側に前記固定基板を保持すると共に、その外側に前記ケースヘッドを保持する構成となっていることを特徴とする液体噴射ヘッドを有する液体噴射装置により達成される。
【００１４】
第５の発明の構成によれば、第１の発明と同様に、前記固定基板を内側で保持する前記係合保持手段は、前記係合保持手段の外側に保持される前記カバーケースによって規制され、外側方向に撓む等することがないので、前記係合保持手段の内側で保持されている前記固定基板が前記係合保持手段から外れる等することがない。
また、前記固定基板を保持する前記係合保持手段は、前記カバーケースでその動きを規制されるので、前記固定基板が割れる等することを防ぐ程度の弾性力を有する素材等で前記係合保持手段を形成しても、落下や振動により前記固定基板が前記係合保持手段から外れることを防止することができる。
さらに、前記係合保持手段は前記固定基板の保持のみならず、前記カバーケースの保持を行うので、それぞれの保持のために別個の保持手段を設置する必要がなく液体噴射ヘッドを有する液体噴射装置を小型化でき、製造コストも下げることができる。
【発明を実施するための最良の形態】
【００１５】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１６】
図１は本発明の液体噴射装置の実施の形態にかかるインクジェット式記録装置（以下「記録装置」という）１００を示す概略斜視図である。
図１に示すように、記録装置１００は、キャリッジ１０１を有し、このキャリッジ１０１はキャリッジモータ１０２により駆動されるタイミングベルト１０３を介し、ガイド部材１０４に案内されてプラテン１０５の軸方向に往復移動されるように構成されている。
【００１７】
図１のキャリッジ１０１の記録用紙２００に対向する側には、後述する液体噴射ヘッドである例えば、インクジェット式記録ヘッド（以下「記録ヘッド」という）３００が搭載され、その上部には、記録ヘッド３００に液体である例えば、インクを供給するブラックインクカートリッジ１０６及びカラー用インクカートリッジ１０７が着脱可能に装填されている。
そして、図１の記録用紙２００は、印字等領域Ｐに配置されて、記録ヘッド３００によってインクが吐出され、印字等される構成となっている。
【００１８】
図２は、記録ヘッド３００の要部を示す概略斜視図である。図２に示すように、記録ヘッド３００は、ケースヘッド３１０やカバーケース４１０を有している。また、ケースヘッド３１０の図において底部にはカバーヘッド３４０が配置され、このカバーヘッド３４０内には、後述するヘッドユニット３２０が収容されている。
【００１９】
図３は、図２の記録ヘッド３００の概略分解斜視図である。図３に示すように、ケースヘッド３１０には、図１のブラックインクカートリッジ１０６やカラー用インクカートリッジ１０７からインクを導く針３５０やインクを濾すフィルタ３５１を有している。
また、ケースヘッド３１０は、後述するフレキシブル基板３３０を接続する固定基板である例えば、ケースヘッド側基板３６０を保持している。
そして、ケースヘッド３１０に保持されたケース側基板３６０を覆うカバーケース４１０が配置される構成となっている。
【００２０】
また、ケースヘッド３１０の下方には、ヘッドユニット３２０が配置される。ヘッドユニット３２０は、最も下に、インクを吐出するためのノズルが形成されているノズル形成部である例えば、ノズルプレート３２４を有している。
ノズルプレート３２４の上には、ノズルプレート３２４にインク等を供給するための供給プレート３２３やリザーバプレート３２２が配置されている。
リザーバプレート３２２の上には、電圧が印加されるとたわみ振動をする圧電体を有するアクチュエータ部である例えば、アクチュエータ３２１が配置されている。
そして、これらノズルプレート３２４、供給プレート３２３、リザーバプレート３２２及びアクチュエータ３２１は、接着され一体化され、ヘッドユニット３２０を構成している。
すなわち、電圧がアクチュエータ３２１に印加されると圧電体がたわみ振動し、その振動によってノズルプレート３２４のノズルからインクが吐出される構成となっている。
【００２１】
また、図３に示すように、ヘッドユニット３２０のアクチュエータ３２１の上で、ケースヘッド３１０との間には、アクチュエータ３２１に接続され、アクチュエータ３２１に電力を供給するフレキシブル基板３３０が配置されている。
フレキシブル基板３３０はケースヘッド３１０に配置されているケースヘッド側基板３６０と接続され、ケースヘッド側基板３６０から電力の供給を受ける構成となっている。
そして、一体化されたヘッドユニット３２０は、電力の供給を受けるフレキシブル基板３３０を挟んでケースヘッド３１０の底部に接着される構成となっている。
このように、ケースヘッド３１０とヘッドユニット３２０がフレキシブル基板３３０を挟んで接着されることにより、ケースヘッド３１０側よりヘッドユニット３２０側へインクが円滑に供給される構成となる。
【００２２】
図４は、図３のケースヘッド３１０を示す概略斜視図であり、図５は、図４のケースヘッド３１０の概略平面図である。図６は図５のケースヘッド３１０の概略右側面図であり、図７は、図６の矢印Ｐの概略部分拡大図である。
図４に示すように、ケースヘッド３１０は、ケースヘッド本体３１１と、ケースヘッド本体３１１からその側面が略Ｌ字状に起立して形成される起立部３１２を有している。起立部３１２には、図４に示すように、左右に２カ所、縦長のケース側基板支持部３１３ａ、３１３ｂが形成され、これらケース側基板支持部３１３ａ等には、直接、ケースヘッド側基板３６０を当接させる基板当接部３１４ａ、３１４ｂが形成されている。
【００２３】
これらケース側基板支持部３１３ａ、３１３ｂの図において外側には突出して形成される係合保持手段である例えば、係合保持部３７０ａ、３７０ｂが２カ所に配置されている。
これら係合保持部３７０ａ、３７０ｂは、図６に示すように全体が略Ｕ字状を成し、略Ｕ字状の切り欠きが形成され、この切り欠きによって、図５に示すように、切り欠き係合部３７１ａ、３７１ｂが形成されている。
図８は、図５の矢印Ｑの概略部分拡大図である。図８に示すように切り欠き係合部３７１ｂは、内側にケースヘッド側基板３６０の端部を係合させる固定基板係合部である例えば、基板係合部３７２ｂを有し、外側にはカバーケース４１０を係合させるカバーケース係合部３７３ｂを有している。これは、図５の左側に配置されている切り欠き係合部３７１ａも同様である。
【００２４】
また、図８の切り欠き係合部３７１ｂ等の基板係合部３７２ｂ等の近傍には、図４及び図５に示すように、ケースヘッド側基板３６０の端部を基板係合部３７２ａ、３７２ｂに案内する固定基板案内部である例えば、基板用斜面３７４ａ、３７４ｂが形成されている。
ところで、図４等に示す係合保持部３７０ａ、３７０ｂは弾性力のある柔らかい樹脂等で形成されており、さらに基板用斜面３７４ａ等が形成されている部分は、係合保持部３７０ａ等の先端側である。このため、この基板用斜面３７４ａ等は、ケースヘッド側基板３６０の端部が当接すると変形し易い構成となっている。
これに加えて、基板用斜面３７４ａ等の表面が図４示すように傾斜面となっているので、ケースヘッド側基板３６０の端部が当接すると、基板用斜面３７４ａ等は図４の外側に変形し、ケースヘッド側基板３６０に進入を阻害しない構成となっている。
【００２５】
したがって、作業者がケースヘッド側基板３６０を取り付けるため、その端部を係合保持部３７０ａ、３７０ｂに当接させても、基板用斜面３７４ａ等が外側へ変形し、強い力がケースヘッド側基板３６０に加わらず、割れ等が生じない構成となっている。
また、作業者がケースヘッド側基板３６０をさらに押し込み、図４の基板当接部３１４ａ等に配置させると、ケースヘッド側基板３６０の端部は、図５の基板用斜面３７４ａ等を超えるので、基板用斜面３７４ａ等は、自己の有する復元力により内側の元の位置に戻る。
すると、図８の基板係合部３７２ｂ等に対応する位置にケースヘッド側基板３６０の端部が配置され、基板係合部３７２ｂ等はケースヘッド側基板３６０の端部がケースヘッド３１０から外れるのを防ぐ機能を発揮することになる。
【００２６】
図９は、図３のカバーケース４１０を示す概略斜視図であり、図１０は、図９の概略正面図、図１１は図１０のＡ−Ａ線概略断面図である。
図９及び図１０に示すようにカバーケース４１０は、中央部にケースヘッド３１０に配置されたケースヘッド側基板３６０を収容するための収容凹部４１２が形成されると共に、その上側と両側に壁面４１３、４１３、４１３を有している。
壁面４１３うち両側の壁面４１３、４１３の内側には、図９及び図１０に示すように係合凸部４１１ａ、４１１ｂが形成されている。これら係合凸部４１１ａ、４１１ｂは、図４の係合保持部３７０ａ、３７０ｂの先端側に対して外側から係合し、図８の切り欠き係合部３７１ｂ等のカバーケース係合部３７３ｂに係合する構成となっている。
【００２７】
また、図９及び図１１に示すように、係合凸部４１１ａ、４１１ｂには、傾斜面であるケース傾斜面４１４ａ、４１４ｂがそれぞれ形成されている。このケース傾斜面４１４ａ、４１４ｂは、カバーケース４１０の係合凸部４１１ａ、４１１ｂが、図８のカバーケース係合部３７３ａ、３７３ｂと係合する際に案内するカバーケース案内部の一例である。
すなわち、カバーケース４１０をケースヘッド３１０に取り付ける際、図９のカバーケース４１０の係合凸部４１１ａ、４１１ｂが、ケースヘッド３１０の係合保持部３７０ａ、３７０ｂの先端側に当接するが、両者の当接面が矩形を成していると、係合凸部４１１ａ等を図８のカバーケース係合部３７３ａ等に対して円滑に係合させることができない。
しかし、本実施の形態では、カバーケース４１０の係合凸部４１１ａ等にカバー傾斜面４１４ａ等が形成されているので、このカバー傾斜面４１４ａ等に係合保持部４１１ａ等の先端側の角が当接する。このため、係合凸部４１１はカバー傾斜面４１４ａ等上に係合保持部４１１ａ等の角を滑らせながらケースヘッド３１０に近接するので、円滑に図８に示すカバーケース係合部３７３ｂ等に達することができる。
すなわち、作業者がカバーケース４１０をケースヘッド３１０に装着させ易い構成となっている。
【００２８】
図１２は図４にケースヘッド３１０に図９のカバーケース４１０を装着した状態を示す概略説明図であり、図１３は図１２の矢印Ｒの概略部分拡大図である。
図１２及び図１３に示すように、先ず、ケースヘッド側基板３６０を装着する。このとき、上述のようにケースヘッド側基板３６０の端部３６１（図１３参照）は、図４の係合保持部３７０ｂの先端側の内側に形成されている基板用斜面３７４ｄを通って、円滑に図８に示す切り欠き係合部３７１ｂの内側の基板係合部３７２ｂに達し、ケースヘッド側基板３６０の脱落等は、この基板係合部３７２ｂによって防止される（図１３参照）。
また、その後、カバーケース４１０がケースヘッド３１０に装着される。すなわち、図４のカバーケース４１０の係合凸部４１１ｂ等が図４のケースヘッド３１０の係合保持部３７０ｂの先端側に当接する。このとき、上述のように、係合凸部４１１ｂ等の傾斜面４１３ｂ等により円滑に係合保持部３７０ｂ等の外側を進入する。
具体的には、係合保持部３７０ｂ等が柔らかい弾性力のある樹脂等の素材で形成されているので、係合保持部３７９ｂ等が内側に撓むように変形し、この変形によりカバー傾斜面４１３ｂ等はよりスムーズに進入できる構成となっている。
【００２９】
さらに、カバーケース４１０の係合凸部４１１ｂ等が近接すると、係合凸部４１１ｂ等が図１３に示すように、ケースヘッド３１０の係合保持部３７０ｂ等に係合する。すなわち、図８のカバーケース係合部３７３ｂ等と係合状態となる。
したがって、カバーケース４１０は、係合凸部４１１ｂ等とカバーケース係合部３７３ｂ等との係合によって、ケースヘッド３１０にしっかり固定されることになる。
このように本実施の形態によれば、ケースヘッド３１０から係合保持部３７０ａ等を形成するだけで、ケースヘッド側基板３６０及びカバーケース４１０をケースヘッド３１０に保持等させることができる。このため、ケースヘッド側基板３６０及びカバーケース４１０のそれぞれを固定等するための治具をケースヘッドに設ける必要がないので製造コストを低減させることができる。
【００３０】
また、図１３に示すように、ケースヘッド３１０に固定されたカバーケース４１０は、その壁面４１３によって、ケースヘッド３１０の係合保持部３７０ｂ等が外側に移動するのを規制する機能を果たす。したがって、ケースヘッド側基板３６０に当接等してもケースヘッド側基板３６０を割る等することのない程度に柔らかく弾性力のある樹脂等の材質で係合保持部３７０あ等を形成しても、係合保持部３７０ｂ等が落下等の振動で外側に撓むことがないので、ケースヘッド３１０に保持されているケースヘッド側基板３６０がケースヘッド３１０から脱落等することを未然に防ぐことができる。
【００３１】
ところでケースヘッド３１０とカバーケース４１０とは接着剤により接着されるので、図９に示すように、カバーケース４１０には、ケースヘッド３１０と接着するための接着部であるカバー縁部４１５が形成されている。
一方、図４に示すようにケースヘッド３１０には、カバーケース４１０のカバー縁部４１５に対応するケース縁部３１５が形成されている。すなわち、ケース縁部３１５上に接着剤が塗布された状態で、カバーケース４１０のカバー縁部４１５を配置することで両者は完全に接着させる構成となっている。
【００３２】
また、ケースヘッド３１０の係合保持部３７０ａ、３７０ｂには、カバーケース４１０がケースヘッド３１０に対して角度を保持して進入し、近接するための案内をするカバーケース案内部である例えば、ガイド部３７５ａ、３７５ｂが形成されている。
一方、カバーケース４１０には、図９に示すように、ケースヘッド３１０のガイド部３７５ａ、３７５ｂに対応してカバー側ガイド部４１６ａ、４１６ｂが設けられている。
図１４は、ケースヘッド３１０に対してカバーケース４１０が接着される状態を示す概略説明図である。
図１４に示すようにケースヘッド３１０のケース縁部３１５には接着剤Ｓが所定量塗布されている。この状態で、カバーケース４１０のカバー側ガイド部４１６ａ等をケースヘッド３１０のガイド部３７５ａ等に沿って、ケースヘッド３１０に近接させる。
【００３３】
すなわち、図１４の矢印Ｖ方向に近接させるとケースヘッド３１０の接着剤Ｓが塗布されているケース縁部３１５に対して角度を持って近接し、当接することになる。したがって、カバーケース４１０をケースヘッド３１０に接着させるときに、カバーケース４１０のカバー縁部４１５が、図１４のケースヘッド３１０のケース縁部３１５上を矢印Ｘ方向に擦るように摺動することを防ぐことができる。
すなわち、接着剤Ｓを塗布したケースヘッド３１０のケース縁部３１５上をカバーケース４１０のカバー縁部４１５が摺動すると、塗布された接着剤Ｓを図１４の矢印Ｙで示すように奥側へ押し込め、接着剤Ｓを不均一としてしまう。このように接着剤Ｓが不均一となると薄い部分の防水性が劣化し、内部にインク等が入り込み、ケースヘッド側基板３６０に達し発熱等が生じるおそれがある。
しかし、本実施の形態では、ケースヘッド４１０のケース縁部３１５上の接着剤Ｓが不均一とならないでカバーケース４１０が接着されるので防水性を向上させることができる。
【００３４】
また、図６及び図７に示すように、係合保持部３７０ａ等の基端部（図６の下端部）には、カバーケース４１０の装着が終了した後、カバー側ガイド部４１６ｂ等を配置する固定部３７６が形成されている。この固定部３７６に配置されたカバー側ガイド部４１６ｂ等は、図７の矢印方向への移動が規制されるので、カバーケース４１０の矢印方向への抜け止めとして機能する。
【００３５】
本発明は、上述の実施の形態に限定されない。さらに、上述の各実施の形態は、相互に組み合わせて構成するようにしてもよい。また、本発明は、インクジェット式記録装置に限らず、プリンタ等の画像記録装置に用いられる記録ヘッド、液晶ディスプレイ等のカラーフィルタの製造に用いられる色材噴射ヘッド、有機ＥＬディスプレー、ＦＥＤ（面発光ディスプレイ）等の電極形成に用いられる電極材噴射ヘッド、バイオチップ製造に用いられる生体有機物噴射ヘッド等の液体を吐出する液体噴射ヘッドを用いた液体噴射装置、精密ピペットとしての試料噴射装置等にも適用できる。
【図面の簡単な説明】
【００３６】
【図１】本発明の液体噴射装置の実施の形態にかかるインクジェット式記録装置を示す概略斜視図である。
【図２】記録ヘッドの要部を示す概略斜視図である。
【図３】図２の記録ヘッドの概略分解斜視図である。
【図４】図３のケースヘッドを示す概略斜視図である。
【図５】図４のケースヘッドの概略平面図である。
【図６】図５のケースヘッドの概略右側面図である。
【図７】図６の矢印Ｐの概略部分拡大図である。
【図８】図５の矢印Ｑの概略部分拡大図である。
【図９】図３のカバーケースを示す概略斜視図である。
【図１０】図９の概略正面図である。
【図１１】図１０のＡ−Ａ線概略断面図である。
【図１２】図４にケースヘッドに図９のカバーケースを装着した状態を示す概略説明図である。
【図１３】図１２の矢印Ｒの概略部分拡大図である。
【図１４】ケースヘッドに対してカバーケースが接着される状態を示す概略説明図である。
【符号の説明】
【００３７】
１００・・・インクジェット式記録装置、１０１・・・キャリッジ、１０２・・・キャリッジモータ、１０３・・・タイミングベルト、１０４・・・ガイド部材、１０５・・・プラテン、１０６・・・ブラックインクカートリッジ、１０７・・・カラー用インクカートリッジ、２００・・・記録用紙、３００・・・インクジェット式記録ヘッド、３１０・・・ケースヘッド、３１１・・・ケースヘッド本体、３１２・・・起立部、３１３ａ、３１３ｂ・・・ケース側基板支持部、３１４ａ、３１４ｂ・・・基板当接部、３１５・・・ケース縁部、３２０・・・ヘッドユニット、３２１・・・アクチュエータ、３２２・・・リザーバプレート、３２３・・・供給プレート、３２４・・・ノズルプレート、３４０・・・カバーヘッド、３５０・・・針、３５１・・・フィルタ、３６０・・・ケースヘッド側基板、３６１・・・端部、３７０ａ、３７０ｂ・・・係合保持部、３７１ａ、３７１ｂ・・・切り欠き係合部、３７２ａ、３７２ｂ・・・基板係合部、３７３ａ、３７３ｂ・・・カバーケース係合部、３７４ａ、３７４ｂ・・・基板用斜面、３７５ａ、３７５ｂ・・・ガイド部、３７６・・・固定部、４１０・・・カバーケース、４１１ａ、４１１ｂ・・・係合凸部、４１２・・・収容凹部、４１３・・・壁面、４１４ａ、４１４ｂ・・・ケース傾斜面、４１５・・・カバー縁部、４１６ａ、４１６ｂ・・・カバー側ガイド部。
【図１】
0004661040.tif 000002
【図２】
0004661040.tif 000003
【図３】
0004661040.tif 000004
【図４】
0004661040.tif 000005
【図５】
0004661040.tif 000006
【図６】
0004661040.tif 000007
【図７】
0004661040.tif 000008
【図８】
0004661040.tif 000009
【図９】
0004661040.tif 000010
【図１０】
0004661040.tif 000011
【図１１】
0004661040.tif 000012
【図１２】
0004661040.tif 000013
【図１３】
0004661040.tif 000014
【図１４】
0004661040.tif 000015